(57)【要約】【課題】  使用者が擬似歩行運動することによって、高速振動が形成されてベルトに伝動し、特定部位のシェイプアップ及びマッサージを行う足踏み式フィットネス器具を提供する。【解決手段】足踏み式フィットネス器具は、底台上にハンドル桿及び上下に相対して往復運動する踏板伝動ユニットから構成され、使用者が擬似歩行運動を行うことによって動く。底台には搖捍が設置され、その搖捍は両踏板伝動ユニットが動くことによって高速振動する。また格桿には体の部位を当てるベルトが設置される。【選択図】図1
0003111104.tif 000002
【実用新案登録請求の範囲】
【請求項１】
底台を具え、その底台にハンドル桿、及び相対して上下運動する踏板伝動ユニットを枢設し、使用者が擬似歩行運動することによって始動する足踏み式フィットネス器具において、
底台上に搖桿を枢設し、その搖桿は両踏板伝動ユニットの駆動によって高速往復運動し、また搖桿には休の部位を当てる為のベルトが設置され、その部位が高速振動を受けてシェイプアップ及びマッサージされることを特徴とする足踏み式フィットネス器具。
【請求項２】
前記底台は、その前段に中空桿を設置し、両踏板伝動ユニットの前端が中空桿の両側に枢設され、格桿の最上部が中空桿と相互に枢設されるもので、他に底台上には両踏板伝動ユニットが回転する偏心軸が設置され、連動桿を偏心軸と搖捍底部の間に連結することによって、偏心軸と連動桿の伝動作用が発生し、格桿が往復運動することを特徴とする請求項1記載の足踏み式フィットネス器具。
【請求項３】
前記両踏板伝動ユニットは、その末端が底台後方向きに伸び、両踏板伝動ユニット末端の中間位置に偏心軸から伝動する弾み車が設置され、弾み車両側の車輪面には各々支持桿が軸設され、両踏板伝動ユニットの末端には支持桿が入る滑動槽が成形されて両踏板伝動ユニットの上下運動作用により、両踏板伝動ユニットに連結された支持桿が弾み車と同じ方向に回転し、弾み車を回転させ偏心軸の回転を伝動することを特徴とする請求項2記載の足踏み式フィットネス器具。
【請求項４】
前記中空桿は、その後ろ側に回転車が設置され、偏心軸はこの回転車の車輪面に設置され、別に回転車の辺側には回転車の回転を制御する抵抗塊が設置されることを特徴とする請求項2記載の足踏み式フィットネス器具。
【請求項５】
前記中空桿は、その後ろ側に回転車が設置され、偏心軸は回転車の車輪面に設置され、弾み車と回転車の間には間車が設置されることを特徴とする講求項3記載の足踏み式フィットネス器具。
【請求項６】
前記弾み車、間車、回転車は、その間に皮ベルトもしくはチェーンによって伝動されることを特徴とする請求項5記載の足踏み式フィットネス器具。
【請求項７】
前記絡桿は、その両側に横桿が設置され、ベルトの両端を両横桿に連結することを特徴とする請求項2記載の足踏み式フィットネス審具。
【請求項８】
前記搖捍は、套環を設置し、套環をネジで締めて定位し、ベルトの両端は套環を設置した横桿に固定することを特徴とする請求項2記載の足踏み式フィットネス器具。
【請求項９】
前記搖捍は、套環を設置し、套環をネジで締めて定位し、套環の両側に横桿を設置し、ベルトの両端を両横桿に連結することを特徴とする請求項2記載の足踏み式フィットネス器具。
【考案の詳細な説明】
【技術分野】
【０００１】
本考案は、足踏み式フィットネス器具に関するもので、使用者が擬似歩行運動することによって、高速振動が形成されてベルトに伝動し、特定部位のマッサージ及びシェイプアップを行うものである。
【背景技術】
【０００２】
今日、現代人は運動不足になりがちで、戸外での運動も天気に左右されるため、継続しにくい。そのため室内でのフィットネス器具、例としてステッパー、エアロバイク等による運動が盛んになっている。
【０００３】
しかしながら、一般のステッパーは擬似歩行による両足運動効果だけで、動作が単調なため厭きやすく、結果として継続しなくなってしまう。単一効能のフィットネス器具は体の特定部位だけの運動効果しかなく、更に長期間使用してこそ筋肉が強化されるのにすぐに飽きやすいのでは効果は得られない。
【考案の開示】
【考案が解決しようとする課題】
【０００４】
解決しようとする問題点は、ステッパーのような単一の動きだけでは体の一部のみの運動効果しかないだけでなく、構造が単調で使用者が飽きやすく、長期継続しにくい点である。
【課題を解決するための手段】
【０００５】
本考案は、底台上にハンドル桿及び上下に相対して往復運動する踏板伝動ユニットから構成され、使用者が擬似歩行運動を行うことによって動く。底台には搖桿が設置され、その格桿は両踏板伝動ユニットが動くことによって高速振動する。また格桿には体の部位を当てるベルトが設置されることを最も主要な特徴とする。
【考案の効果】
【０００６】
本考案の足踏み式フィットネス器具は、使用者が擬似歩行運動することによって、高速振動が形成されてベルトに伝動し、特定部位のシェイプアップ及びマッサージを行うという利点がある。
【考案を実施するための最良の形態】
【０００７】
本考案の基本構造は、図1に示すとおり、底台10を具え、その底台10にハンドル桿20及び上下往復運動する踏板伝動ユニット30が二つ相対して設置される。
【０００８】
そのうち、底台10上には別に搖捍41が設置され、その搖捍40が踏板伝動ユニット30の動力を受けて高遠往復運動する。搖捍41の両側には横桿43が設置され、そこに使用者の体に当てるためのベルト60が連接される。図5に示すとおり、使用者が踏板伝動ユニット30上で擬似歩行運動を行うと、搖捍41の振動がベルト60に伝わり、ベルト60の当たった体の部位が高速振動によってシェイプアップされる。
【０００９】
図1及び図2に示すとおり、底台10前端には別に中空桿11が設置され、両踏板伝動ユニット30の前端が中空桿11両側に枢設され、両手で握るハンドル桿20は中空桿11の最上部に設置され、格桿41の最上部は中空桿と相互に枢設される。また底台10には両踏板伝動ユニット30の動きを受けて運転される偏心軸51が軸設され、別に連動桿52が偏心軸51と搖捍41底部の間に連結され、偏心軸51と連動桿52の伝動作用によって、格桿41が往復運動する。
【００１０】
当実施例中、両踏板伝動ユニット30の末端は底台10後に向かって伸びており、底台10には両踏板伝動ユニット30末端の中間位置に、偏心軸51に伝動される弾み車32が軸設され、その弾み車32両側には支持桿33が各々設置され、両踏板伝動ユニット30の末端に支持桿33が入る滑動槽31が成形される。更に両支持桿33には、踏板伝動ユニット30の滑動槽31内で滑動する套管34が設置され、両踏板伝動ユニット30が上下運動すると、両踏板伝動ユニット30によって連結された支持桿33が弾み車32と同じ回転方向で動き、弾み車32が回転し、偏心軸51に伝動して回転する。
【００１１】
図1及び図3に示すとおり、中空桿11の後方に回転車53が軸設され、その偏心軸51は回転車53の車輪面に設置される。また回転車53の辺側には回転車53の回転を制御する抵抗塊54が設置され、抵抗塊54によって回転車53の回転能力を変化させる。この他、弾み車32と回転車53の間には、間車70が設置され、図3及び図4に示すとおり、弾み車32、間車70及び回転車53は歯車とチェーンによる方式で伝動するか、もしくはベルト(図示せず)を使用する。そして弾み車32、間車70及び回転車53間の車輪径で偏心軸51の回転数を拡大し、それを格桿41に伝えて高遠振動させ、シェイプアップ効果を向上させる。
【００１２】
更に図1に示すとおり、本考案の格桿41に套環42を設置し、その套環42をネジ44で締めて搖捍41に定位する。ベルト60を連結した横桿43を套環42の両側に設置する。これによって使用者は套環42を格桿41に設置する位置を変え、体にベルト60が当たる位置を調節する。
【図面の簡単な説明】
【００１３】
【図１】本考案の外観立休図である。
【図２】本考案の踏板伝動ユニットと弾み車の構造分解図である。
【図３】本考案の弾み車、間車及び回転車の間の伝動指示図である。
【図４】本考案の搖捍動作指示図である。
【図５】本考案の使用状態指示図である。
【符号の説明】
【００１４】
10  底台
11  中空桿
20  ハンドル桿
30  踏板伝動ユニット
31  滑動槽
32  弾み車
33  支持桿
34  套管
41  搖捍
42  套環
43  横桿
44  ネジ
51  偏心軸
52  連動桿
53  回転車
54  抵抗塊
60  ベルト
70  間車
【図１】
0003111104.tif 000003
【図２】
0003111104.tif 000004
【図３】
0003111104.tif 000005
【図４】
0003111104.tif 000006
【図５】
0003111104.tif 000007